(57)【要約】【課題】任意に組み合わされる複数の機器が構成する１つ以上の印刷装置のいずれかに予め定めた事象が発生した場合に、予め定めた事象が発生していない印刷装置の印刷に影響を与えることなく、予め定めた事象が発生した機器を含む印刷装置を停止させる。【解決手段】通信装置１８は、当該通信装置１８に接続されている印刷機１４に対し、第２の伝送路２６上に発生した通信エラーの検知結果と、検知結果に応じて通信エラーが発生する機器を特定する特定情報とを送信する。印刷機１４は、通信装置１８が送信した通信エラーの検知結果と特定情報とを受信し、管理テーブルａを参照して、第２の伝送路２６上で発生した通信エラーの影響を受ける印刷装置を特定し、特定した印刷装置に対し、予め定めた順序で機器をそれぞれ停止させる印刷装置停止処理を行う。【選択図】図１０
2010262393.tif 000002
【特許請求の範囲】
【請求項１】
情報を伝送する伝送路と、
この伝送路にそれぞれ通信装置を介して接続され、任意の組み合わせで１つ以上の印刷装置を構成する複数の機器と、
前記伝送路に接続され、前記印刷装置を構成する前記機器を特定する特定情報を前記印刷装置単位の構成情報として生成する構成情報生成装置と、
を有し、
前記機器の少なくともいずれかは、
前記構成情報生成装置が生成した構成情報を記憶する記憶手段と、
前記機器のいずれかに予め定めた事象が発生する場合、予め定めた事象が発生する前記機器の特定情報を取得する取得手段と、
前記記憶手段が記憶した構成情報及び前記取得手段が取得した特定情報に基づいて、予め定めた事象が発生する前記機器を含む前記印刷装置を停止させる停止手段と、
を有する印刷システム。
【請求項２】
前記構成情報生成装置は、
前記通信装置と互いに置換可能なように、前記通信装置と同一の構成を有する
請求項１記載の印刷システム。
【請求項３】
前記機器の少なくともいずれかは、
設定を指示する入力を受け入れる設定入力受入手段を有し、
前記構成情報生成装置は、
前記設定入力受入手段が受け入れた設定を指示する入力に基づいて、予め定めた設定を行う設定手段を有する
請求項１又は２記載の印刷システム。
【請求項４】
前記機器それぞれの種類を区別する区別情報を記憶する区別情報記憶装置をさらに有し、
前記区別情報記憶装置は、
前記構成情報生成装置と一体に設けられている
請求項１乃至３いずれか記載の印刷システム。
【請求項５】
前記構成情報生成装置は、
前記機器の少なくともいずれかにローカルエリアネットワークを介して接続され、前記ローカルエリアネットワークを介して接続された前記機器に対し、前記区別情報記憶装置が記憶する区別情報を前記ローカルエリアネットワークを介して送信する
請求項４記載の印刷システム。
【請求項６】
前記伝送路は、
コントローラエリアネットワークの仕様に基づいて、情報を伝送する
請求項１乃至５いずれか記載の印刷システム。
【請求項７】
前記機器の少なくともいずれかは、
画像を印刷する画像印刷手段を有し、
前記通信装置は、
前記伝送路上で情報の伝送ができないことを検知する検知手段を有し、前記画像形成手段を有する前記機器が接続されて情報の伝送ができないことを前記検知手段が検知した場合、前記検知手段が検知した結果をブロードキャストすることなく接続された前記画像形成手段を有する前記機器に送信し、前記画像形成手段を有しない前記機器が接続されて情報の伝送ができないことをを前記検知手段が検知した場合、前記検知手段が検知した結果をブロードキャストする
請求項６記載の印刷システム。
【発明の詳細な説明】
【技術分野】
【０００１】
本発明は、印刷システムに関するものである。
【背景技術】
【０００２】
特許文献１は、複数の電気デバイスから、要求されたデータ処理を実行するのに必要な複数のデバイスを特定し、特定されたデバイスは複数の電気デバイスのセグメントを構成し、セグメントを構成する特定されたデバイスにセグメント識別子を割り当て、セグメント識別子が割り当てられた電気デバイスのアダプタを、セグメント化されたデバイスの各デバイスが共通のデータバスから各デバイスに向けて送信されたデータをフィルタにかけることができるよう構成するデータ処理方法を開示する。また、特許文献２は、プリントラインバスが立ち上がり、必要なプリントラインセグメントが選択されると、プリントライン管理ユニットがユーザの選択を分析し、プリントラインにおける印刷ジョブを実行するのに必要なデバイスを決定するセグメント化方式を開示する。
【先行技術文献】
【特許文献】
【０００３】
【特許文献１】特開２００３−１４０８４８号公報
【特許文献２】米国特許出願公開第２００３／００４８４７２号明細書
【発明の概要】
【発明が解決しようとする課題】
【０００４】
本発明は、任意に組み合わされる複数の機器が構成する１つ以上の印刷装置のいずれかに予め定めた事象が発生した場合に、予め定めた事象が発生していない印刷装置の印刷に影響を与えることなく、予め定めた事象が発生した機器を含む印刷装置を停止させることができる印刷システムを提供することを目的とする。
【課題を解決するための手段】
【０００５】
上記目的を達成するため、請求項１に係る本発明は、情報を伝送する伝送路と、この伝送路にそれぞれ通信装置を介して接続され、任意の組み合わせで１つ以上の印刷装置を構成する複数の機器と、前記伝送路に接続され、前記印刷装置を構成する前記機器を特定する特定情報を前記印刷装置単位の構成情報として生成する構成情報生成装置と、を有し、前記機器の少なくともいずれかは、前記構成情報生成装置が生成した構成情報を記憶する記憶手段と、前記機器のいずれかに予め定めた事象が発生する場合、予め定めた事象が発生する前記機器の特定情報を取得する取得手段と、前記記憶手段が記憶した構成情報及び前記取得手段が取得した特定情報に基づいて、予め定めた事象が発生する前記機器を含む前記印刷装置を停止させる停止手段と、を有する印刷システムである。
【０００６】
請求項２に係る本発明は、前記構成情報生成装置が、前記通信装置と互いに置換可能なように、前記通信装置と同一の構成を有する請求項１記載の印刷システムである。
【０００７】
請求項３に係る本発明は、前記機器の少なくともいずれかが、設定を指示する入力を受け入れる設定入力受入手段を有し、前記構成情報生成装置は、前記設定入力受入手段が受け入れた設定を指示する入力に基づいて、予め定めた設定を行う設定手段を有する請求項１又は２記載の印刷システムである。
【０００８】
請求項４に係る本発明は、前記機器それぞれの種類を区別する区別情報を記憶する区別情報記憶装置をさらに有し、前記区別情報記憶装置は、前記構成情報生成装置と一体に設けられている請求項１乃至３いずれか記載の印刷システムである。
【０００９】
請求項５に係る本発明は、前記構成情報生成装置が、前記機器の少なくともいずれかにローカルエリアネットワークを介して接続され、前記ローカルエリアネットワークを介して接続された前記機器に対し、前記区別情報記憶装置が記憶する区別情報を前記ローカルエリアネットワークを介して送信する請求項４記載の印刷システムである。
【００１０】
請求項６に係る本発明は、前記伝送路が、コントローラエリアネットワークの仕様に基づいて、情報を伝送する請求項１乃至５いずれか記載の印刷システムである。
【００１１】
請求項７に係る本発明は、前記機器の少なくともいずれかが、画像を印刷する画像印刷手段を有し、前記通信装置は、前記伝送路上で情報の伝送ができないことを検知する検知手段を有し、前記画像形成手段を有する前記機器が接続されて情報の伝送ができないことを前記検知手段が検知した場合、前記検知手段が検知した結果をブロードキャストすることなく接続された前記画像形成手段を有する前記機器に送信し、前記画像形成手段を有しない前記機器が接続されて情報の伝送ができないことをを前記検知手段が検知した場合、前記検知手段が検知した結果をブロードキャストする請求項６記載の印刷システムである。
【発明の効果】
【００１２】
請求項１に係る本発明によれば、任意に組み合わされる複数の機器が構成する１つ以上の印刷装置のいずれかに予め定めた事象が発生した場合に、予め定めた事象が発生していない印刷装置の印刷に影響を与えることなく、予め定めた事象が発生した機器を含む印刷装置を停止させることができる。
【００１３】
請求項２に係る本発明によれば、請求項１に係る本発明の効果に加えて、本構成を有していない場合に比較して、印刷システムを簡易に構成することができる。
【００１４】
請求項３に係る本発明によれば、請求項１又は２に係る本発明の効果に加えて、本構成を有していない場合に比較して、構成情報生成装置の構成を簡易にすることができる。
【００１５】
請求項４に係る本発明によれば、請求項１乃至３いずれかに係る本発明の効果に加えて、本構成を有していない場合に比較して、印刷システムを簡易に構成することができる。
【００１６】
請求項５に係る本発明によれば、請求項４に係る本発明の効果に加えて、本構成を有していない場合に比較して、印刷システムの信頼性を高めることができる。
【００１７】
請求項６に係る本発明によれば、請求項１乃至５いずれかに係る本発明の効果に加えて、本構成を有していない場合に比較して、印刷システムの信頼性を高めることができる。
【００１８】
請求項７に係る本発明によれば、請求項６に係る本発明の効果に加えて、本構成を有していない場合に比較して、印刷システムの動作を安定させることができる。
【図面の簡単な説明】
【００１９】
【図１】本発明の実施形態に係る印刷システムの構成を示す構成図である。
【図２】通信装置の外観を示す上面図である。
【図３】通信装置のハードウェア構成を示すブロック図である。
【図４】情報管理装置が生成して記憶する管理テーブルを示す図表である。
【図５】通信装置が有する接続制御プログラムの構成を示すプログラム構成図である。
【図６】通信装置及び情報管理装置の起動時の動作例（Ｓ１０）を示すフローチャートである。
【図７】印刷機のハードウェア構成を示すブロック図である。
【図８】印刷機のＵＩ装置により情報管理装置に対して予め定めた設定を行う設定処理（Ｓ２０）を示すフローチャートである。
【図９】第２の伝送路に対する通信装置の動作の一例（Ｓ３０）を示すフローチャートである。
【図１０】第２の伝送路上に通信エラーが発生した場合における印刷機の動作例（Ｓ４０）を示すフローチャートである。
【発明を実施するための形態】
【００２０】
次に本発明の実施形態を図面に基づいて説明する。
図１において、本発明の実施形態に係る印刷システム１０が例示されている。印刷システム１０は、例えば前処理装置１２−１，１２−２、印刷機１４−１〜１４−３、後処理装置１６−１，１６−２及び通信装置１８−１〜１８−７などの機器と、情報管理装置２０及び電源装置２２とを有する。
以下、印刷機１４−１〜１４−３など複数ある構成部分のいずれかを特定せずに示す場合には、単に「印刷機１４」などと略記することがある。
【００２１】
前処理装置１２−１，１２−２は、例えば印刷されていないロール紙（連帳紙）を印刷機１４−１，１４−２に対してそれぞれ供給する給紙装置であり、後述する第３の伝送路２８を介して信号を送受可能にされている。印刷機１４−１，１４−２は、例えばロール紙の表側に白黒画像を印刷する印刷装置であり、後述する第１の伝送路２４を介して信号を送受可能にされるとともに、第４の伝送路３０を介して例えばトポロジーがデイジーチェーンとなるネットワークを構成する。また、印刷機１４−３は、例えばロール紙の裏側に白黒画像を印刷する。なお、印刷機１４−３は、印刷機１４−１，１４−２とともに例えばトポロジーがデイジーチェーンとなるネットワークを構成している。印刷機１４−１〜１４−３は、カラー画像を形成する印刷機であってもよい。後処理装置１６−１，１６−２は、例えば印刷をされたロール紙を巻き取ることにより収納するスタック装置であり、後述する第３の伝送路２８を介して信号を送受可能にされている。
【００２２】
通信装置１８−１〜１８−７は、図２乃至図５等を用いて後述するように、異なる伝送方式により信号を伝送する複数の伝送路（バス）間で信号が伝送されるように信号を変換して通信するインターフェイス変換装置である。
【００２３】
例えば、通信装置１８−２，１８−５，１８−６は、第１の伝送路２４−１〜２４−３を介して印刷機１４−１〜１４−３にそれぞれ接続されている。なお、第１の伝送路２４−１〜２４−３は、例えばＩＥＥＥ（Institute of Electrical and Electronics Engineers）により定められたＩＥＥＥ１３９４（第１の伝送方式）の規格に対応して信号を伝送するケーブルであり、２組のツイストペア線（４ピン）からなる。
【００２４】
通信装置１８−１〜１８−７は、例えば第２の伝送路２６−１〜２６−６により接続され、トポロジーがデイジーチェーンとなるネットワークを構成する。なお、第２の伝送路２６−１〜２６−７は、例えばＣＡＮ（コントローラエリアネットワーク：第２の伝送方式）の規格に対応して信号を伝送するケーブルである。つまり、第２の伝送路２６−１〜２６−７は、通信装置１８−１〜１８−７及び情報管理装置２０とともに、第２の伝送方式により情報を伝送する１つの伝送路を構成している。
【００２５】
また、通信装置１８−１，１８−４は、例えば第３の伝送路２８−１，２８−３を介して前処理装置１２−１，１２−２にそれぞれ接続されている。通信装置１８−３，１８−７は、例えば第３の伝送路２８−２，２８−４を介して後処理装置１６−１，１６−２にそれぞれ接続されている。なお、第３の伝送路２８−１〜２８−４は、例えば通信装置１８と、前処理装置１２又は後処理装置１６とを接続するために定められた固有の伝送方式（第３の伝送方式）に対応して信号を伝送するケーブルである。
【００２６】
情報管理装置２０は、例えば通信装置１８（図２乃至図５等参照）と同一の構成を有し、第２の伝送路２６−７を介して通信装置１８−１に接続され、印刷システム１０に接続される各機器の識別情報（ＩＤ情報）、機器名、機器のバージョン及びＩＰアドレスなどの予め定めた情報を含む機器リストと、図４を用いて後述する管理テーブルａなどを記憶し、印刷システム１０を構成する各部を管理する。
【００２７】
情報管理装置２０及び通信装置１８−１〜１８−７は、第２の伝送路２６−１〜２６−７により接続されたトポロジーがデイジーチェーンとなるネットワークを構成している。また、情報管理装置２０は、電源装置２２が接続されており、電源装置２２が出力する電力を受け入れている。
【００２８】
さらに、情報管理装置２０は第４の伝送路３０−１を介して印刷機１４−１に接続され、印刷機１４−１は第４の伝送路３０−２を介して印刷機１４−２に接続され、印刷機１４−２は第４の伝送路３０−３を介して印刷機１４−３に接続されている。なお、第４の伝送路３０−１〜３０−３は、例えばＬＡＮ（ローカルエリアネットワーク：第４の伝送方式）の規格に対応して信号を伝送するケーブルである。
【００２９】
印刷システム１０は、例えば２つの独立した一連の印刷を行う連続システムである印刷装置Ａ、Ｂを構成するように設定されており、情報管理装置２０に管理されて動作する。
例えば、印刷装置Ａは、前処理装置１２−１が供給するロール紙に対し、印刷機１４−１が表面の印刷を行い、表面に印刷をされたロール紙を後処理装置１６−１が巻き取るように動作するシーケンスが設定されている。また、印刷装置Ｂは、前処理装置１２−２が供給するロール紙に対し、印刷機１４−２が表面の印刷を行い、印刷機１４−３が裏面の印刷を行い、両面に印刷をされたロール紙を後処理装置１６−２が巻き取るように動作するシーケンスが設定されている。
なお、印刷システム１０内に構成される連続システムは、任意に再構成可能にされている。
【００３０】
次に、通信装置１８−１〜１８−７（情報管理装置２０）について詳述する。
図２は、通信装置１８の外観を示す上面図である。
図３は、通信装置１８のハードウェア構成を示すブロック図である。
図４は、情報管理装置２０が生成して記憶する管理テーブルａを示す図表である。
図５は、通信装置１８が有する接続制御プログラム６０の構成を示すプログラム構成図である。
なお、情報管理装置２０は、上述したように通信装置１８と同一の構成を有する。
【００３１】
図２に示すように、通信装置１８は、通信装置本体４０と、この通信装置本体４０の外面に設けられた第１の接続部４２−１，４２−２、第２の接続部４４−１，４４−２、第３の接続部４６、第４の接続部４８及び電源接続部４９とを有する。
【００３２】
第１の接続部４２−１，４２−２は、それぞれ第１の伝送路２４を接続可能にされたコネクタである。第２の接続部４４−１，４４−２は、それぞれ第２の伝送路２６を接続可能にされたコネクタである。第３の接続部４６は、第３の伝送路２８を接続可能にされたコネクタである。第４の接続部４８は、第４の伝送路３０を接続可能にされたコネクタである。電源接続部４９は、電源装置２２を接続可能にするために設けられたコネクタである。
【００３３】
また、図３に示すように、通信装置１８は、ＣＰＵ５０、記憶部５２、第１の通信インターフェイス（Ｉ／Ｆ）５４−１，５４−２、第２の通信インターフェイス（Ｉ／Ｆ）５５−１，５５−２、第３の通信インターフェイス（Ｉ／Ｆ）５６、第４の通信インターフェイス（Ｉ／Ｆ）５７及び構成情報生成部５８を有し、各部が制御バスを介して相互に接続されている。
【００３４】
ＣＰＵ５０は、後述する接続制御プログラム６０を実行し、通信装置１８を構成する各部を制御する。記憶部５２は、図５を用いて後述する接続制御プログラム６０及び各種のデータなどを記憶するメモリを含む。また、記憶部５２は、図４を用いて後述する管理テーブルａのバージョン（区別情報）５９−３を記憶する区別情報記憶部５３を含み、管理テーブルａが有する情報を記憶する。
【００３５】
第１の通信Ｉ／Ｆ５４は、第１の伝送路２４が第１の接続部４２に接続されて、第１の伝送路２４を介して伝送される信号を送受するための接続ハードウェアである。第２の通信Ｉ／Ｆ５５は、第２の伝送路２６が第２の接続部４４に接続されて、第２の伝送路２６を介して伝送される信号を送受するための接続ハードウェアである。第３の通信Ｉ／Ｆ５６は、第３の伝送路２８が第３の接続部４６に接続されて、第３の伝送路２８を介して伝送される信号を送受するための接続ハードウェアである。第４の通信Ｉ／Ｆ５７は、第４の伝送路３０が第４の接続部４８に接続されて、第４の伝送路３０を介して伝送される信号を送受するための接続ハードウェアである。
【００３６】
構成情報生成部５８は、通信装置１８を情報管理装置２０として印刷システム１０に配設する場合に動作するようにされており、印刷システム１０を構成する各部から情報を取得して管理テーブルａ（図４）を生成する。
なお、構成情報生成部５８は、ＣＰＵ５０が実行するプログラム（ソフトウェア）によって構成されてもよい。
【００３７】
図４に示すように、管理テーブルａは、印刷システム１０に接続される機器を特定するＩＤ５９−１ごとに、機器名５９−２、バージョン（区別情報）５９−３、状態５９−４、構成状態５９−５及び詳細５９−６が情報として対応付けられている。
【００３８】
ＩＤ５９−１は、管理テーブルａにおいて、各機器に対して予め設定された固有のＩＤ番号であり、例えば１から昇順に付される連番である。機器名５９−２は、印刷システム１０に接続される各機器固有の名称を示す情報である。バージョン５９−３は、機器それぞれのバージョン（種類を区別する区別情報）を示す情報である。状態５９−４は、各機器それぞれの状態を、例えば電源オン、電源オフ又はエラーのいずれかに分類して示す情報である。構成状態５９−５は、各機器それぞれが印刷装置（処理系）を構成しているか否かを、構成中又は未構成のいずれかに分類することにより示す情報である。詳細５９−６は、構成状態５９−５が構成中であると示した処理系の詳細を印刷装置単位で示す情報である。例えば、詳細５９−６は、印刷システム１０に上述した印刷装置Ａ、Ｂが構成されている場合、印刷装置Ａ、Ｂを構成するために設定された他の機器を特定する情報を含んでいる。
このように、管理テーブルａは、例えばＩＤ５９−１、機器名５９−２及びバージョン５９−３などの各機器を特定する特定情報と、特定情報により特定される機器それぞれの動作状況に関連する例えば状態５９−４などの状況関連情報と、印刷装置（処理系）に関する例えば構成状態５９−５及び詳細５９−６などの処理系情報とを含む。つまり、管理テーブルａは、印刷装置を構成する機器を特定する特定情報を印刷装置単位の構成情報として含んでいる。
【００３９】
図５に示すように、接続制御プログラム６０は、第１のドライバ６１−１，６１−２、第２のドライバ６２−１，６２−２、第３のドライバ６３、第４のドライバ６４及び変換部６５から構成される。
【００４０】
第１のドライバ６１は、ＣＰＵ５０の制御により、第１の通信Ｉ／Ｆ５４とともに、第１の伝送路２４を介して伝送される信号を送受（取得及び送出）する。第２のドライバ６２は、ＣＰＵ５０の制御により、第２の通信Ｉ／Ｆ５５とともに、第２の伝送路２６を介して伝送される信号を送受する。第３のドライバ６３は、ＣＰＵ５０の制御により、第３の通信Ｉ／Ｆ５６とともに、第３の伝送路２８を介して伝送される信号を送受する。第４のドライバ６４は、ＣＰＵ５０の制御により、第４の通信Ｉ／Ｆ５７とともに、第４の伝送路３０を介して伝送される信号を送受する。
【００４１】
変換部６５は、第１のドライバ６１、第２のドライバ６２、第３のドライバ６３及び第４のドライバ６４のいずれかが受信（取得）した信号に対し、信号を受信していない第１のドライバ６１、第２のドライバ６２、第３のドライバ６３及び第４のドライバ６４が送信（送出）可能なように、信号の伝送方式を変換する。つまり、変換部６５は、異なる伝送方式により信号を伝送する複数の伝送路（バス）間に設けられ、複数の伝送路間で信号が伝送されるように信号を相互変換（信号の方式相互変換）する変換ソフトウェアである。
【００４２】
また、変換部６５は、事象検知部６６を含むようにされている。事象検知部６６は、第１のドライバ６１、第２のドライバ６２、第３のドライバ６３及び第４のドライバ６４のいずれかが受信（取得）した信号に予め定めた事象を示す信号が含まれていると、予め定めた事象を示す信号を検知する。例えば、事象検知部６６は、通信エラーなどの伝送路上で情報の伝送ができないことを検知する。また、事象検知部６６は、例えば第２の伝送路２６を介して伝送される信号の通信時間間隔ｔを監視し、通信時間間隔ｔが予め定めた時間に達した場合に第２の伝送路２６上に通信エラーが発生したことを検知するようにもされている。
【００４３】
図６は、通信装置１８−１〜１８−７及び情報管理装置２０の起動時の動作例（Ｓ１０）を示すフローチャートである。
図６に示すように、ステップ１００（Ｓ１００）において、通信装置１８−１〜１８−７及び情報管理装置２０に電源が投入されると、情報管理装置２０は、通信装置１８−１〜１８−７を介し、印刷システム１０を構成する各機器から、状態５９−４、構成状態５９−５及び詳細５９−６などに対応する情報を取得し、上述した機器リストを参照して管理テーブルａ（上述した構成情報を含む）を生成する。
なお、Ｓ１００の処理は、印刷装置が再構成されている場合には、管理テーブルａを更新する動作となる。
【００４４】
ステップ１０２（Ｓ１０２）において、情報管理装置２０は、Ｓ１００の処理で生成した管理テーブルａを通信装置１８−１〜１８−７及び印刷機１４−１〜１４−３に転送する。
つまり、情報管理装置２０、通信装置１８−１〜１８−７及び印刷機１４−１〜１４−３は、それぞれ管理テーブルａを記憶するようにされている。
【００４５】
図７は、印刷機１４のハードウェア構成を示すブロック図である。
なお、図７に示した印刷機１４において、図３に示した通信装置１８を構成する部分と実質的に同一のものには、同一の符号が付してある。
【００４６】
印刷機１４は、ＣＰＵ７０、メモリ７１、記憶装置７２、ＵＩ（ユーザインターフェイス）装置７３、画像印刷部７４、第１の通信Ｉ／Ｆ５４及び第４の通信Ｉ／Ｆ５７を有し、印刷機１４を構成する各部が制御バス７５を介して接続されている。ＣＰＵ７０は、メモリ７１または記憶装置７２に格納されたプログラムに応じて予め定めた処理を実行し、印刷機１４を構成する各部を制御する。なお、メモリ７１は、第１のドライバ６１及び第４のドライバ６４（ともに図示せず：図４参照）を記憶している。記憶装置７２は、ハードディスクドライブ（ＨＤＤ）などを含み、例えばＣＤ−ＲＯＭ等の記憶媒体７６などを介して供給される情報を記憶する。また、記憶装置７２は、管理テーブルａ（図４）のバージョン（区別情報）６７−３を記憶する区別情報記憶部７７含み、管理テーブルａが有する情報を記憶する。ＵＩ装置７３は、例えばタッチパネルなどからなり、作業者による指示入力などを受け入れるとともに、印刷機１４に関する情報を表示する。また、ＵＩ装置７３は、情報管理装置２０に対して予め定めた設定を行うための設定指示入力を受け入れ、受け入れた設定指示入力を情報管理装置２０に対して送信することができるようにされている。画像印刷部７４は、例えばロール紙の表面又は裏面に画像を印刷する。
なお、印刷システム１０において用いられるプログラムはいずれも、記憶媒体７６を介して提供されてもよいし、ネットワークを介して提供されてもよい。
【００４７】
図８は、印刷機１４のＵＩ装置７３により情報管理装置２０に対して予め定めた設定を行う設定処理（Ｓ２０）を示すフローチャートである。
図８に示すように、ステップ２００（Ｓ２００）において、印刷機１４のＵＩ装置７３は、作業者の操作に応じて、情報管理装置２０に対して予め定められた設定を行うための設定指示入力を受け入れる。
【００４８】
ステップ２０２（Ｓ２０２）において、印刷機１４は、Ｓ２００の処理でＵＩ装置７３が受け入れた設定指示入力を情報管理装置２０に対して送信する。
【００４９】
ステップ２０４（Ｓ２０４）において、情報管理装置２０は、印刷機１４が送信した設定指示入力を受信する。
【００５０】
ステップ２０６（Ｓ２０６）において、情報管理装置２０は、受信した設定指示入力に応じて、情報管理装置２０自身に対して予め定められた設定を行う。
【００５１】
次に、通信装置１８（図１）の動作例について説明する。
図９は、第２の伝送路２６に対する通信装置１８の動作の一例（Ｓ３０）を示すフローチャートである。
図９に示すように、ステップ３００（Ｓ３００）において、通信装置１８は、印刷システム１０が動作を開始すると、第２の伝送路２６に通信エラーが発生したことを事象検知部６６が検知したか否かを判定し、検知していない場合にはＳ３０２の処理に進み、検知した場合にはＳ３０６の処理に進む。
【００５２】
ステップ３０２（Ｓ３０２）において、通信装置１８は、印刷システム１０の動作に応じて情報を伝送する（通信処理）。
【００５３】
ステップ３０４（Ｓ３０４）において、通信装置１８は、通信処理が終了したか否かを判定し、通信処理が終了したと判定した場合には動作を終了し、通信処理が終了していないと判定した場合にはＳ３００の処理に進む。
【００５４】
ステップ３０６（Ｓ３０６）において、通信装置１８は、当該通信装置１８自身が印刷機１４に接続されているか否かを判定し、印刷機１４に接続されている場合にはＳ３０８の処理に進み、印刷機１４に接続されていない場合にはＳ３１０の処理に進む。
【００５５】
ステップ３０８（Ｓ３０８）において、通信装置１８は、当該通信装置１８に接続されている印刷機１４に対し、事象検知部６６の検知結果と、検知結果に応じて通信エラーが発生する機器の特定情報とを送信する。
例えば、第２の伝送路２６上に通信エラーが生じると、通信装置１８を介して第２の伝送路２６に接続された前処理装置１２−１，１２−２、印刷機１４−１〜１４−３及び後処理装置１６−１，１６−２の少なくともいずれかに対する通信エラーが発生する。つまり、第２の伝送路２６上の通信エラーの発生位置に応じて、通信エラーが発生する機器（前処理装置１２−１，１２−２、印刷機１４−１〜１４−３及び後処理装置１６−１，１６−２の少なくともいずれか）が特定される。
なお、Ｓ３０８の処理においては、通信装置１８は、当該通信装置１８に接続されている印刷機１４のみに対して、事象検知部６６の検知結果と通信エラーが発生する機器を特定する特定情報とを送信し、事象検知部６６の検知結果と通信エラーが発生する機器を特定する特定情報とをブロードキャストすることは行わない。
【００５６】
ステップ３１０（Ｓ３１０）において、通信装置１８は、事象検知部６６の検知結果と、検知結果に応じて通信エラーが発生する機器を特定する特定情報とをブロードキャストする。
【００５７】
図１０は、第２の伝送路２６上に通信エラーが発生した場合における印刷機１４の動作例（Ｓ４０）を示すフローチャートである。
図１０に示すように、ステップ４００（Ｓ４００）において、印刷機１４は、通信装置１８が送信（図９：Ｓ３０８）した通信エラーの検知結果と特定情報とを受信する。
【００５８】
ステップ４０２（Ｓ４０２）において、印刷機１４は、管理テーブルａ（構成情報を含む）を参照する。
【００５９】
ステップ４０４（Ｓ４０４）において、印刷機１４は、Ｓ４００及びＳ４０２の処理結果に応じて、第２の伝送路２６上で発生した通信エラーの影響を印刷処理に受ける印刷装置を特定する。
【００６０】
ステップ４０６（Ｓ４０６）において、印刷機１４は、Ｓ４０４の処理で特定した印刷装置に対し、予め定めた順序で機器をそれぞれ停止させる印刷装置停止処理を行う。
つまり、印刷機１４は、Ｓ４０４の処理で特定した印刷装置以外の印刷装置に対しては、印刷装置停止処理を行わない。
【符号の説明】
【００６１】
１０    印刷システム
１２−１，１２−２    前処理装置
１４−１〜１４−３    印刷機
１６−１，１６−２    後処理装置
１８−１〜１８−７    通信装置
２０    情報管理装置
２２    電源装置
２４−１〜２４−３    第１の伝送路
２６−１〜２６−６    第２の伝送路
２８−１〜２８−４    第３の伝送路
３０−１〜３０−３    第４の伝送路
４０    通信装置本体
４２−１，４２−２    第１の接続部
４４−１，４４−２    第２の接続部
４６    第３の接続部
４８    第４の接続部
５０    ＣＰＵ
５２    記憶部
５３    区別情報記憶部
５４−１，５４−２    第１の通信Ｉ／Ｆ
５５−１，５５−２    第２の通信Ｉ／Ｆ
５６    第３の通信Ｉ／Ｆ
５７    第４の通信Ｉ／Ｆ
５８    構成情報生成部
５９−１    ＩＤ
５９−２    機器名
５９−３    バージョン（区別情報）
５９−４    状態
５９−５    構成状態
５９−６    詳細
６０    接続制御プログラム
６１−１，６１−２    第１のドライバ
６２−１，６２−２    第２のドライバ
６３    第３のドライバ
６４    第４のドライバ
６５    変換部
６６    事象検知部
【図１】
2010262393.tif 000003
【図２】
2010262393.tif 000004
【図３】
2010262393.tif 000005
【図４】
2010262393.tif 000006
【図５】
2010262393.tif 000007
【図６】
2010262393.tif 000008
【図７】
2010262393.tif 000009
【図８】
2010262393.tif 000010
【図９】
2010262393.tif 000011
【図１０】
2010262393.tif 000012